(57)【特許請求の範囲】
【請求項１】
画像の転送先を指定する宛先指定キーを画面に表示するようにした複合機であって、前記宛先指定キーを有する複数の宛先選択頁の１つを表示する宛先画面を複数有しかつ１つの宛先画面を前面に表示し他の複数の宛先画面を重畳表示する表示手段と、前記前面に表示された１つの宛先画面の前記宛先指定キーに対して任意の宛先を登録し当該宛先画面を使用頻度の高い優先宛先画面として登録可能にする登録手段と、初期画面表示時に、前記優先宛先画面の前記宛先指定キーに登録された宛先が有る場合には前記優先宛先画面を前面に表示させる制御手段とを有することを特徴とする複合機。
【請求項２】
初期画面表示時に、前記制御手段は前記優先宛先画面の前記宛先指定キーに登録された宛先が無い場合には他の複数の宛先画面の中から宛先登録された宛先指定キーがある宛先画面を検索して前面に表示させることを特徴とする請求項１に記載の複合機。
【請求項３】
初期画面表示時に、前記制御手段は前記優先宛先画面の前記宛先指定キーに登録された宛先が無い場合には他の複数の宛先画面の中から宛先登録された宛先指定キーがある宛先画面を検索し、かつ前記複数の前記宛先画面のいずれにも前記宛先登録された宛先指定キーが無い場合には前記複数の宛先画面の先頭のものを前面に表示させることを特徴とする請求項１に記載の複合機。
【請求項４】
画像の転送先を指定するべく登録可能な宛先指定キーを有する複数の宛先選択頁の１つを表示する宛先画面を複数設けかつ１つの宛先画面を前面に表示し他の複数の宛先画面を重畳表示すると共に、前記前面に表示された１つの宛先画面の前記宛先指定キーに対して任意の宛先を登録し当該宛先画面を使用頻度の高い優先宛先画面として登録可能にし、初期画面表示時に、前記優先宛先画面の前記宛先指定キーに登録された宛先が有る場合には前記優先宛先画面を前面に表示することを特徴とする複合機の表示装置用制御方法。
【発明の詳細な説明】
【０００１】
【発明の属する技術分野】
本発明は、複合機及びその表示装置用制御方法に関するものである。
【０００２】
【従来の技術】
近年、複写機にプリンタ機能やファクシミリ機能を加えた複合機が一般化している。さらに、上記プリンタ機能やファクシミリ機能の他にスキャナ機能を追加したものも登場している。
【０００３】
【発明が解決しようとする課題】
しかし、かかる従来の技術では、以下のような問題が生じていた。すなわち、宛先指定のための１つの表示において、可能な限り多くの宛先が指定できるように、画面を何段にも重畳して表示するため、所望の宛先に到達するためには、何枚もの画面をめくらなければならず、オペレータにとって大変煩雑な作業を強いていたという問題があった。
【０００４】
本発明は、上記課題に鑑みてなされたもので、画面を何段にも重畳して表示する表示手段を設けた場合であっても、所望の宛先に到達するオペレータの操作負担を大幅に軽減し、オペレータの利便性を向上し得る複合機及びその表示装置用制御方法を提供することを目的とする。
【０００５】
【課題を解決するための手段】
上記課題を解決するために、本発明に於いては、画像の転送先を指定する宛先指定キーを画面に表示するようにした複合機であって、前記宛先指定キーを有する複数の宛先選択頁の１つを表示する宛先画面を複数有しかつ１つの宛先画面を前面に表示し他の複数の宛先画面を重畳表示する表示手段と、前記前面に表示された１つの宛先画面の前記宛先指定キーに対して任意の宛先を登録し当該宛先画面を使用頻度の高い優先宛先画面として登録可能にする登録手段と、初期画面表示時に、前記優先宛先画面の前記宛先指定キーに登録された宛先が有る場合には前記優先宛先画面を前面に表示させる制御手段とを有するものとした。
【００１２】
これによれば、複数の宛先画面を重畳表示し、各宛先画面の中で宛先指定を可能とした表示手段を用いた場合に、重畳表示する複数の宛先画面で前面に表示された１つの宛先画面の中の宛先指定キーに対して任意の宛先を登録し当該宛先画面を使用頻度の高い優先宛先画面として登録可能として、初期画面表示時に、優先宛先画面に登録された宛先指定キーがある場合には優先宛先画面を優先的に前面に表示することから、常に先頭の宛先画面が前面に表示されその先頭の宛先画面から順次宛先画面をめくって所望の使用頻度の高い優先宛先画面に到達するという操作の煩わしさを排除することができる。すなわち、初期画面表示時に、何の操作もせずに使用頻度の高い優先宛先画面が前面に表示されるので、その分宛先画面をめくる手間を省くことができ、その結果、宛先画面を何段にも重畳して表示する表示手段を設けた場合であっても、オペレータによる所望の使用頻度の高い宛先に到達するまでの操作負担を大幅に軽減し、オペレータの利便性の向上を図ることができる。
【００１３】
特に、初期画面表示時に、前記制御手段は前記優先宛先画面の前記宛先指定キーに登録された宛先が無い場合には他の複数の宛先画面の中から宛先登録された宛先指定キーがある宛先画面を検索して前面に表示させると良い。これによれば、常に、宛先登録された宛先指定キーを有する宛先画面を前面に表示させることができ、空の宛先画面が前面に表示された場合に目的の宛先画面を前面に表示させるまでに手間が掛かってしまうことを無くすことができる。
【００１４】
また、初期画面表示時に、前記制御手段は前記優先宛先画面の前記宛先指定キーに登録された宛先が無い場合には他の複数の宛先画面の中から宛先登録された宛先指定キーがある宛先画面を検索し、かつ前記複数の前記宛先画面のいずれにも前記宛先登録された宛先指定キーが無い場合には前記複数の宛先画面の先頭のものを前面に表示させるものとした。
【００１５】
これによれば、宛先画面を表示する場合に、登録された宛先指定キーを検索して、優先宛先画面、他の複数の宛先画面のいずれの宛先画面においても宛先指定キーに宛先が登録されていない場合には複数の宛先画面の先頭のものを前面に表示することから、宛先がどこにも登録されていないことを、先頭の宛先画面の空表示により直ぐに判断することができる。これにより、多くの宛先画面及び宛先選択頁を有するものにおいて、宛先登録が未入力の場合に、全てを頁めくりして確認する必要が無く、オペレータの操作負担を大幅に軽減し、オペレータの利便性の向上を図ることができる。
【００１８】
あるいは、画像の転送先を指定するべく登録可能な宛先指定キーを有する複数の宛先選択頁の１つを表示する宛先画面を複数設けかつ１つの宛先画面を前面に表示し他の複数の宛先画面を重畳表示すると共に、前記前面に表示された１つの宛先画面の前記宛先指定キーに対して任意の宛先を登録し当該宛先画面を使用頻度の高い優先宛先画面として登録可能にし、初期画面表示時に、前記優先宛先画面の前記宛先指定キーに登録された宛先が有る場合には前記優先宛先画面を前面に表示するものとした。
【００１９】
【発明の実施の形態】
以下に添付の図面に示された具体例に基づいて本発明の実施の形態について詳細に説明する。
【００２０】
図１は、本発明が適用された複合機１と複数のパーソナルコンピュータＰＣとをＬＡＮ接続した状態を示す模式図である。このようにして、１台の複合機１と複数のパーソナルコンピュータＰＣとの間で信号の授受を行うことができるようになっている。本複合機１は、複写機能・プリンタ機能・ファクシミリ機能・スキャナ機能を有するものである。必ずしもそれら全ての機能を有する必要はないが、本実施の形態ではスキャナ機能を有するものとして以下に示す。
【００２１】
まず、図２に複合機１の機能をブロック図として示す。本複合機１には、図２に示されるように、転送手段・制御手段であると共に全体を制御する中央処理装置２と、原稿の読み取りを行う読取手段としての原稿読取制御部３と、記録紙に対して画像形成を行う画像形成部４と、表示手段及び表示装置であると共にオペレータとの入出力部としての操作パネル５とが設けられている。
【００２２】
中央処理装置２にはＣＰＵ２ａ・ＲＯＭ２ｂ・ＲＡＭ２ｃが設けられており、それらはシステムバスＢＵＳ１を介して互いに信号の授受を行っている。なお、ＲＯＭ２ｂにＣＰＵ２ａの動作プログラムが格納され、ＲＡＭ２ｂにはＣＰＵ２ａのワークエリア等が確保される。
【００２３】
なお、原稿読取制御部３には、原稿を自動的に送る自動原稿送り部３ａと、原稿読取部３ｂとが設けられている。また、画像形成部４にもＣＰＵ４ａ・ＲＯＭ４ｂ・ＲＡＭ４ｃが設けられており、それらはシステムバスＢＵＳ２を介して互いに信号の授受を行うと共に、用紙カセットから取り出された用紙を搬送する用紙搬送制御部４ｄと、画像を形成する画像形成制御部４ｅと、トナーの定着を制御する定着制御部４ｆとが設けられている。
【００２４】
また、中央処理装置２にあっては、上記システムバスＢＵＳ１に、原稿読取部インターフェース（Ｉ／Ｆ）２ｄと、画像加工部２ｅと、コーデック２ｆと、画像形成部インターフェース（Ｉ／Ｆ）２ｇとが接続されている。原稿読取インターフェース（Ｉ／Ｆ）２ｄは、原稿読取制御部３とシステムバスＢＵＳ１とを接続し、読み込んだ画像データを編集するものである。画像加工部２ｅは、画像データを拡大／縮小し、または任意の角度に回転させる画像処理回路である。コーデック２ｆは、画像データにエンコード／デコード処理を施すものである。画像形成インターフェース（Ｉ／Ｆ）２ｇは、記録画像の画像データを中央処理装置１と画像形成部４との間での授受を行うものである。
【００２５】
これら原稿読取インターフェース（Ｉ／Ｆ）２ｄ・画像加工部２ｅ・コーデック２ｆ・画像形成インターフェース（Ｉ／Ｆ）２ｇは、ローカルバスＢＵＳ３を介して画像メモリ２ｈ及び画像蓄積メモリ２ｉと接続されている。画像メモリ２ｈには、コーデック２ｆでエンコード処理された画像データが格納される。さらに、システムバスＢＵＳ１には、印刷データ取込インターフェース（Ｉ／Ｆ）２ｊが接続されている。この印刷データ取込インターフェース（Ｉ／Ｆ）２ｊは、ＬＡＮを介して各パーソナルコンピュータＰＣとの間で印刷データの授受を行うためのものである。
【００２６】
次に、本複合機１によるスキャナ処理について以下に示す。このスキャナ処理は、複合機１に原稿をセットし、読み込んだ画像を指定した宛先のパーソナルコンピュータＰＣに送信するものである。図３のフローチャートに示されるように、先ずステップＳＴ１で画像の送信先を選択させるための宛先処理を行う。この宛先処理を図４のフローチャートを参照して示す。この状態では、上記操作パネル５の一部をなすタッチパネル６に、図５に示されるような宛先画面が表示されている。
【００２７】
図４のステップＳＴ１１ではモードキー１１が押し下げられたか否かを判別する。このモードキー１１は、宛先処理モードと原稿表示処理モードとを切り替えるためのものである。ステップＳＴ１１でモードキー１１が押し下げられた場合には、宛先処理モードを行わないことが選択された場合なので、本フローを終了する。ステップＳＴ１１でモードキー１１が押し下げられていない場合にはステップＳＴ１２に進む。
【００２８】
ステップＳＴ１２では、原稿がセットされているか否かを判別する。この判別は、コピー機などで用いられている位置センサで行うものであって良い。ステップＳＴ１２で原稿がセットされていないと判別された場合にはステップＳＴ１３に進み、そこで、「原稿をセットしてください」の表示を行い、ステップＳＴ１４に進む。また、上記ステップＳＴ１２で原稿がセットされていると判別された場合にはステップＳＴ１５に進み、そこで、「宛先を指定してください」の表示を行い、ステップＳＴ１４に進む。
【００２９】
ステップＳＴ１４では宛先の入力が有るか否かを判別する。なお、宛先の入力処理にあっては、例えば、図５の宛先画面で、アルファベット別に分けられたキーとして作用するタグ１２の該当するものを押圧し、そのタグ１２に該当する複数の宛先指定キー１３が表示された画面の中から指定する宛先指定キー１３に該当するものを押圧して指定することができる。なお、図示例のタグ１２のアルファベット表示は宛先の頭文字を表しており、「FAVORITE」は優先宛先画面としての「よく使う」宛先画面のタグ１２である。
【００３０】
図５に示されるように、この宛先画面では、原稿の向きの表示画面を切り替えて表示するようにしている。これにより、タッチパネル６のほぼ全面を使ってできるだけ多くの宛先を表示することができる。図示例では４×３列からなる１２種類の宛先を一度に表示している。このように、一度に表示される宛先の数が多いことにより、宛先指定の作業が容易であり、特に多数のパーソナルコンピュータＰＣが接続されるネットワーク上に用いられる複合機１において、スキャナで読み込んだ画像を転送する宛先を選択する場合に有効である。
【００３１】
ここで、ステップＳＴ１４における宛先入力処理について示す。この宛先入力処理については図６のフローに基づいて行われる。先ず、図のステップＳＴ２１において宛先画面の初期画面の表示処理を行う。この初期画面の表示処理を図７のフローを参照して示す。まず、図のステップＳＴ３１で、優先宛先画面としての「よく使う」画面（タグ１２の「FAVORITE」に対応する画面）内の宛先指定キー１３に宛先登録されたものがあるか否かを判別する。宛先登録されたものがある場合にはステップＳＴ３２に進み、そこで図８に示されるように、タグ１２の「FAVORITE」に対応する画面を表示し、この宛先画面の初期画面の表示処理を終了する。なお、図示例では５つの宛先指定キー１３が宛先登録されている。
【００３２】
ステップＳＴ３１で宛先登録されたものが無いと判別された場合にはステップＳＴ３３に進み、そこで、全頁のどこかに宛先登録された宛先指定キーがあるか否かを判別する。どこかに宛先登録された宛先指定キーがある場合にはステップＳＴ３４に進み、そこで、例えば先頭の宛先画面（タグ１２の「＃ＡＢ」に対応する画面）から検索し、最初に検索された宛先登録の宛先指定キーがある宛先画面を表示し（例えば図５）、この表示処理を終了する。ステップＳＴ３３でどこにも宛先登録された宛先指定キーが無いと判別された場合にはステップＳＴ３５に進み、そこで、タグキー（タグ１２）で指定された画面（例えば先頭の宛先画面）を表示し、この表示処理を終了する。
【００３３】
これによれば、宛先画面を表示する場合に、登録された宛先指定キーを検索して、優先宛先画面、複数の宛先画面の順に表示させると共に、いずれの宛先画面においても宛先指定キーに宛先が登録されていない場合には複数の宛先画面の先頭のものを表示することにより、宛先がどこにも登録されていないことを、先頭の宛先画面の空表示により直ぐに判断することができる。これにより、多くの宛先画面及び宛先選択頁を有するものにおいて、宛先登録が未入力の場合に、全てを頁めくりして確認する必要が無く、オペレータの操作負担を大幅に軽減し、オペレータの利便性の向上を図ることができる。
【００３４】
また、画面表示が切替わる場合、各画面の１つ手前又は１つ後を表示するのではなく、宛先登録のない画面はスキップして、宛先登録のある画面を表示するので、宛先登録のある画面に到達するまで画面の切替を行うという手間を省くことができる。その結果、画面を何段にも重畳して表示する表示手段を設けた場合であっても、オペレータによる所望の宛先に到達するまでの操作負担を大幅に軽減し、オペレータの利便性の向上を一層図ることができる。
【００３５】
次のステップＳＴ２２では、何らかのキー入力（タッチパネル５のキー部分に対する押圧操作）があるか否かを判別し、キー入力が無い場合にはステップＳＴ２２を繰り返し、キー入力があったと判別された場合にはステップＳＴ２３に進む。ステップＳＴ２３ではタグキー（タグ１２）が押し下げられたか否かを判別する。なお、キーを押し下げるとして表現するが、実際には触れる程度であって良い。
【００３６】
ステップＳＴ２３でタグキーが押し下げられたと判別した場合にはステップＳＴ２４に進み、そこでタグキー処理を行う。このタグキー処理を図９を参照して示す。まず、ステップＳＴ４１で現在表示されている宛先画面内のタグキー（タグ１２）が押し下げられたか否かを判別し、押し下げられていない場合にはステップＳＴ４２に進む。ステップＳＴ４２では、ステップＳＴ２３で押し下げられたタグキーに対応する宛先画面を選択し、次のステップＳＴ４３でその宛先画面の先頭頁を表示し、このタグキー処理を終了する。例えばタグ１２の「ＩＪＫ」が押し下げられていた場合には図１０に示されるようになる。なお、先頭頁のすべての宛先指定キー１３が登録されたら第２頁目に登録可能にし、そのようにして頁を増やす。
【００３７】
このようにタグキー処理を行うことにより、最前位置に表示されている画面において、そのタグ１２が選択されると、その選択されたタグ１２に対応する宛先画面をそのまま表示するのではなく、その宛先画面の中の複数頁の先頭頁を表示させることができる。
【００３８】
このようにしてステップＳＴ２４のタグキー処理が終了したらステップＳＴ２２に戻る。ステップＳＴ２３でタグキーが押し下げられていないと判別した場合にはステップＳＴ２５に進む。ステップＳＴ２５では、前頁用頁めくりキー２１が押し下げられたか否かを判別し、押し下げられたと判別した場合にはステップＳＴ２６に進み、そこで前頁用頁めくりキー処理を行う。
【００３９】
この前頁用頁めくりキー処理を図１１を参照して示す。まず、ステップＳＴ５１で全宛先画面・全頁に宛先登録された宛先指定キー１３があるか否かを判別し、１つも登録されていない場合にはステップＳＴ５２に進み、そこで、先頭の宛先画面（タグ１２の「＃ＡＢ」に対応する画面）の先頭頁を表示し、このキー処理を終了する。
【００４０】
ステップＳＴ５１で宛先登録された宛先指定キー１３があると判別された場合にはステップＳＴ５３に進み、そこで、先頭頁が表示されているか否かを判別する。先頭頁が表示されていない場合にはステップＳＴ５４に進み、そこで、表示する頁を前頁のものにする。例えば図１２（ａ）に示されるようにタグ１２の「＃ＡＢ」に対応する宛先画面の第３頁が表示されている場合には、前頁に進み、図１２（ｂ）に示されるようにタグ１２の「＃ＡＢ」に対応する宛先画面の第２頁になる。
【００４１】
次のステップＳＴ５５では、上記頁（前頁）内に宛先登録された宛先指定キー１３があるか否かを判別し、無い場合にはステップＳＴ５３に戻り、有る場合にはステップＳＴ５６に進む。ステップＳＴ５６では、ステップＳＴ５５で宛先登録された宛先指定キー１３があるとされた現在の頁（上記例では図１２（ｂ））を表示し、この頁めくりキー処理を終了する。
【００４２】
上記ステップＳＴ５３で先頭頁の表示中であると判別された場合にはステップＳＴ５７に進み、そこで、宛先画面の先頭の画面を表示中であるか否かを判別する。先頭の宛先画面の表示中でなければステップＳＴ５８に進む。ステップＳＴ５８に進んだ場合には、途中の宛先画面の先頭頁から前に戻る操作を行うことになるため、表示する宛先画面を前画面のものにする。例えば、タグ１２の「ＩＪＫ」に対応する宛先画面が表示されていた場合にはタグ１２の「ＦＧＨ」の宛先画面を表示する。
【００４３】
また、ステップＳＴ５７で先頭の宛先画面の表示中であると判別された場合にはステップＳＴ６０に進む。この場合には、先頭の宛先画面（タグ１２の「＃ＡＢ」）が表示されていることから、その前の画面として最終画面（図示例ではタグ１２の「ＸＹＺ」の宛先画面）を選択する。このように昇順のループ状に検索する。上記ステップＳＴ５８及びステップＳＴ６０の次のステップＳＴ５９では、その宛先画面（前画面）において表示する頁を先頭頁のものにし、ステップＳＴ５５に進む。その後の頁処理は上記ステップＳＴ５５・ＳＴ５６に示した通りである。
【００４４】
このようにしてステップＳＴ２６の前頁用頁めくりキー処理が終了したらステップＳＴ２２に戻る。ステップＳＴ２５で前頁用頁めくりキー２１が押し下げられていないと判別した場合にはステップＳＴ２７に進む。ステップＳＴ２７では、次頁用頁めくりキー２２が押し下げられたか否かを判別し、押し下げられたと判別した場合にはステップＳＴ２８に進み、そこで次頁用頁めくりキー処理を行う。
【００４５】
この次頁用頁めくりキー処理を図１３を参照して示す。なお、この次頁用頁めくりキー処理にあっては、上記前頁用頁めくりキー処理と同様の処理を行うものであり、基本的に、前頁を次頁とし、前画面を次画面と置き換えたフローを実行すれば良く、ステップＳＴ５１がステップＳＴ６１に対応し、以降ステップ表示の１の位が同じもの同士が同様の処理を行うものであり、異なるステップ以外の詳しい説明を省略する。
【００４６】
ステップＳＴ６３では最終頁が表示されているか否かを判別する。最終頁が表示されていない場合にはステップＳＴ６４に進み、ステップＳＴ６４〜ＳＴ６６の処理を行って、この頁めくりキー処理を終了する。
【００４７】
上記ステップＳＴ６３で最終頁の表示中であると判別された場合にはステップＳＴ６７に進み、そこで、宛先画面の最終の画面を表示中であるか否かを判別する。最終の宛先画面の表示中でなければステップＳＴ６８に進み、そこで、表示する宛先画面を次画面のものにしてステップＳＴ６９に進む。例えば、タグ１２の「ＦＧＨ」に対応する宛先画面が表示されていた場合にはタグ１２の「ＩＪＫ」の宛先画面を表示する。
【００４８】
また、ステップＳＴ６７で最終の宛先画面の表示中であると判別された場合にはステップＳＴ７０に進む。この場合には、最終の宛先画面（タグ１２の「ＸＹＺ」）が表示されていることから、その次の画面として先頭画面（図示例ではタグ１２の「＃ＡＢ」の宛先画面）を選択する。このように降順のループ状に検索する。上記ステップＳＴ６８及びステップＳＴ７０の次のステップＳＴ６９では、その宛先画面（次画面）において表示する頁を先頭頁のものにし、ステップＳＴ６５に進み、ステップＳＴ６５・ＳＴ６６の処理を実行する。
【００４９】
これら頁めくりキー処理により、各宛先画面の先頭頁において前頁をめくる場合には宛先登録がある他の画面を昇順に検索して、検索された頁を表示し、一方、各画面の最終頁において次頁をめくる場合には宛先登録がある他の画面を降順に検索して、検索された頁を表示することができる。これにより、その画面の中でそれ以上頁がめくれない場合にその状態で止まるのではなく、他の画面の表示に切替わるので、頁めくりキーを押してそれ以上頁がめくれない場合であっても、頁めくりキーから手を離してこれとは別に画面の切替を行う操作をする必要が無く、その手間を省くことができる。その結果、画面を何段にも重畳して表示する表示手段を設けた場合であっても、オペレータによる所望の宛先に到達するまでの操作負担を大幅に軽減し、オペレータの利便性の向上を図ることができる。
【００５０】
また、画面表示が切替わる場合、各画面の１つ手前又は１つ後を表示するのではなく、宛先登録のない画面はスキップして、宛先登録のある画面を表示するので、宛先登録のある画面に到達するまで画面の切替を行うという手間を省くことができる。その結果、画面を何段にも重畳して表示する表示手段を設けた場合であっても、オペレータによる所望の宛先に到達するまでの操作負担を大幅に軽減し、オペレータの利便性の向上を一層図ることができる。
【００５１】
また、宛先画面の中でそれ以上頁がめくれない場合にその状態で止まるのではなく、他の宛先画面の表示に切替わるので、頁めくりキー２１・２２を押してそれ以上頁がめくれない場合であっても、頁めくりキー２１・２２から手を離してこれとは別に画面の切替を行う操作をする必要が無く、その手間を省くことができる。その結果、宛先画面を何段にも重畳して表示する場合であっても、オペレータによる所望の宛先に到達するまでの操作負担を大幅に軽減し、オペレータの利便性の向上を図ることができる。
【００５２】
また、例えば第２頁以降が表示されて先頭頁に戻したい場合に前頁用頁めくりキー２を何回か押して戻すことになるのに対して、そのような手間を省くことができる。その結果、宛先画面を何段にも重畳して表示する場合であっても、オペレータによる所望の宛先に到達するまでの操作負担を大幅に軽減し、オペレータの利便性の向上を一層図ることができる。
【００５３】
このようにしてステップＳＴ２７の次頁用頁めくりキー処理が終了したらステップＳＴ２２に戻る。ステップＳＴ２７で次頁用頁めくりキー２２が押し下げられていないと判別した場合にはステップＳＴ２９に進む。ステップＳＴ２９では、初期化キー（図示せず）が押し下げられたか否かを判別し、押し下げられたと判別した場合にはステップＳＴ２１に進み、上記初期画面表示処理を行う。ステップＳＴ２９で初期化キーが押し下げられていないと判別された場合にはステップＳＴ３０に進み、そこで他のキー処理を行ってステップＳＴ２２に戻る。
【００５４】
他のキー処理の一例としては、宛先登録キー処理があり、その処理について図１４のフローを参照して以下に示す。図示されない宛先登録キーを押し下げることにより宛先指定キーへの登録画面（例えば図５と同様の画面であって良い）が表示される。まず、ステップＳＴ７１では宛先名称の登録を行う。この登録には操作パネル５に設けられているテンキーにアルファベットを割り振るなどしてキー入力可能である。
【００５５】
次のステップＳＴ７２では宛先指定キー１３に表示されるキー名称の登録を行う。上記宛先名称には正規の名称を登録し、このキー名称には略称を登録することができる。次のステップＳＴ７３では宛先アドレスの登録を行う。本図示例にあっては、ＬＡＮ接続されている各パーソナルコンピュータＰＣのアドレスを登録する。
【００５６】
次のステップＳＴ７４では、優先宛先画面としての「よく使う」画面に宛先登録を行うか否かを判別する。例えば登録画面に「よく使う」画面の宛先登録キーを設け、そのキーが押し下げられたか否かで判別する。登録が選択された場合にはステップＳＴ７５に進み、選択されなかった場合にはこの宛先登録キー処理を終了する。ステップＳＴ７５では「よく使う」画面への上記登録項目の登録を行う。これは自動的に行われ、「よく使う」画面への登録が行われた場合でも、アルファベット別の宛先画面への登録は行われている。
【００５７】
上記ステップＳＴ１４で宛先の入力が無い（未だいずれかの宛先のものが選択されていない）と判別されている間はステップＳＴ１１に戻り、ステップＳＴ１１〜ＳＴ１４を繰り返す。宛先の入力があると判別された場合にはステップＳＴ１６に進み、そこで、選択された宛先表示を行う。この宛先表示は、例えば情報表示エリア１４に表示するものであって良い。
【００５８】
次のステップＳＴ１７では、一定時間が経過したか否かを判別し、一定時間が経過したら本宛先処理モードを終了する。これは、ユーザが選択した宛先を視認することができるようにするための時間である。
【００５９】
このようにして宛先処理が終了したら、図３のステップＳＴ２に進み、そこでは原稿表示処理モードを実行する。この原稿表示処理を図１５のフローチャートを参照して以下に示す。先ず、ステップＳＴ８１では原稿がセットされているか否かを判別する。原稿がセットされていると判別された場合にはステップＳＴ８２に進み、ステップＳＴ８２では原稿の向きがポートレート方向か否かを判別し、ポートレート方向の場合にはステップＳＴ８３に進む。ステップＳＴ８３では、タッチパネル６が図１６（ａ）に示される第２画面としての原稿向き表示画面となり、その所定の場所にポートレート方向を示す原稿画像１５ａの表示を行い、併せて同一画面上に並列にポートレート方向を示す転送画像１７ａの表示を行い、本原稿方向表示処理を終了する。
【００６０】
上記ステップＳＴ８２でポートレート方向ではないと判別された場合にはランドスケープ方向の原稿であることから、ステップＳＴ８４に進み、そこで、図１６（ｂ）に示されるようにタッチパネルの６の所定の場所にランドスケープ方向を示す原稿画像１５ｂ及び転送画像１７ｂの表示を行い、本原稿方向表示処理を終了する。なお、ステップＳＴ８１で原稿がセットされていないと判別された場合にはステップＳＴ８５に進み、そこで、図１７に示されるように原稿無しをグレー表示で示す原稿無し画像１５ｃの表示を行い、本原稿表示処理を終了する。
【００６１】
このように原稿の方向に合わせて表示することから、原稿の向きを間違えてスキャナ処理した画像を送信してしまい、その送信結果を見て初めて間違いに気づくと言うことを送信前に防止することができる。特に、転送画像の向きが異なっている場合には、セットされた原稿をどう直せばよいのか瞬時に判断でき、複合機をスキャナとして用いる場合の読込み作業に間違いが生じることを容易に防止できる。
【００６２】
上記原稿表示処理を終了したら、図３におけるステップＳＴ３に進む。ステップＳＴ３では、例えば操作パネル５のタッチパネル６とは別の所に配設されたスタートキー（図３（ａ）のＳＫ）を押し下げたか否かを判別する。スタートキーＳＫが押し下げられていないと判別された場合にはステップＳＴ４に進み、スタートキーＳＫが押し下げられたと判別された場合にはステップＳＴ５に進む。
【００６３】
ステップＳＴ４ではモードキー１１が押し下げられたか否かを判別する。このステップＳＴ４における画面は図１６に示されるものになっていることから、モードキー１１が押し下げられたと判別された場合にはステップＳＴ１に戻って宛先処理モードに移り、モードキー１１が押し下げられていないと判別された場合にはステップＳＴ２に戻り、ステップＳＴ２〜ＳＴ３を繰り返す。
【００６４】
ステップＳＴ５では、転送及び転送状況表示の処理を行う。上記ステップＳＴ３でスタートキーＳＫを操作することによりスキャナ処理を開始し、その処理の進行状況を図１８に示されるように表示する。図１８（ａ）は、図１６（ａ）から１／３程度スキャンされた状態であり、同様に、図１８（ｂ）は２／３程度、図１８（ｃ）は全てがスキャンされた状態を示すものである。
【００６５】
図示例では、スキャンの進行状態に合わせて読取ヘッド画像１６が原稿画像１５ａ上を移動していく状態を示すようにしていると共に、読み取られた部分を、原稿画像１５ａの対応する部分を薄くしていくことで示している。また、パーソナルコンピュータＰＣへの転送状態を、隣に表示されているパーソナルコンピュータ画像の画面に表示しているポートレート方向の転送原稿画像１７ａを用いて、転送された量を転送画像１７ａの濃い部分を増やしていくことにより示している。なお、ランドスケープ方向の場合には横長の転送画像が表示される。
【００６６】
このように、読み取った状態及び転送された状態がアニメーションで示されることから、原稿の向きを確認した画像がどのような状態で転送されているか容易に判断でき、オペーレタに安心感を与えることができる。特に、複合機１とパーソナルコンピュータＰＣとが互いに離れて設置されているような場合に有効である。
【００６７】
そして、ステップＳＴ６では転送が終了したか否かを判別し、転送が終了していない場合にはステップＳＴ５に戻り、転送及び転送状況表示の処理を続行する。ステップＳＴ６で転送が終了したと判別されたらステップＳＴ１に戻る。したがって、転送終了後には図１８（ｃ）の転送画面（原稿向き表示画面）から図５の宛先画面に切り替わるため、画面自体の変化で転送終了をオペレータに伝えることができ、オペレータはスキャンした画像が転送中なのか転送が終了したのかを確実に認識することができる。また、転送終了したタイミングで画面が変化するので、いつ転送が終了したかを確実にオペレータに知らせることができる。また、転送終了後に手動で宛先画面に戻す必要がないので、直ちに次の宛先の指定を行うことができる。
【００６８】
なお、タッチパネル６の画面には、図１６（ａ）を代表として示すように、図における右上部分に第３画面としてのモードの設定内容を表示する設定内容表示部１８が設けられている。この設定内容表示部１８は、その図における下方に設けられたモード設定部１９にて設定した各設定項目が常時表示されるようになっている。設定項目としては例えば解像度・文字／写真・濃度であって良く、モード設定部１９にはそれらを設定し得る各スイッチ部が表示されている。
【００６９】
これにより、いずれの画面においても必要となる情報（モード設定項目）が設定内容表示部１８により表示されていることから、確認のためにいちいち画面を切り替える手間を省くことができる。そして、宛先指定のために図５に示される宛先画面を開いている場合でも、設定内容表示部１８によりモードの設定状況を確認できるので、いちいち図１６に示される原稿向き表示画面に切り替える必要が無く、表示されているモードの設定で宛先に転送してよい場合には、宛先画面においてそのまま宛先を指定すれば良く、その際、原稿向き表示画面に切替えてモードを確認する手間を省くことができる。
【００７０】
【発明の効果】
このように本発明によれば、複数の宛先画面を重畳表示し、各宛先画面の中で宛先指定を可能とした表示手段を用いた場合に、重畳表示する複数の宛先画面で前面に表示された１つの宛先画面の中の宛先指定キーに対して任意の宛先を登録し当該宛先画面を使用頻度の高い優先宛先画面として登録可能として、初期画面表示時に、優先宛先画面に登録された宛先指定キーがある場合には優先宛先画面を優先的に前面に表示することから、常に先頭の宛先画面が前面に表示されその先頭の宛先画面から順次宛先画面をめくって所望の使用頻度の高い優先宛先画面に到達するという操作の煩わしさを排除することができる。すなわち、初期画面表示時に、何の操作もせずに使用頻度の高い優先宛先画面が前面に表示されるので、その分宛先画面をめくる手間を省くことができ、その結果、宛先画面を何段にも重畳して表示する表示手段を設けた場合であっても、オペレータによる所望の使用頻度の高い宛先に到達するまでの操作負担を大幅に軽減し、オペレータの利便性の向上を図ることができる。
【００７５】
特に、宛先画面を表示する場合に、優先宛先画面の宛先指定キーに登録された宛先が無い場合には他の複数の宛先画面の中から宛先登録された宛先指定キーがある宛先画面を検索して前面に表示させる。これによれば、常に、宛先登録された宛先指定キーを有する宛先画面を前面に表示させることができ、空の宛先画面が前面に表示された場合に目的の宛先画面を前面に表示させるまでに手間が掛かってしまうことを無くすことができる。
【００７６】
また、宛先画面を表示する場合に、登録された宛先指定キーを検索して、優先宛先画面、他の複数の宛先画面のいずれの宛先画面においても宛先指定キーに宛先が登録されていない場合には複数の宛先画面の先頭のものを前面に表示することにより、宛先がどこにも登録されていないことを、先頭の宛先画面の空表示により直ぐに判断することができる。これにより、多くの宛先画面及び宛先選択頁を有するものにおいて、宛先登録が未入力の場合に、全てを頁めくりして確認する必要が無く、オペレータの操作負担を大幅に軽減し、オペレータの利便性の向上を図ることができる。
【図面の簡単な説明】
【図１】本発明が適用された複合機と複数のパーソナルコンピュータとをＬＡＮ接続した状態を示す模式図。
【図２】本複合機の制御ブロック図。
【図３】本発明が適用された制御フローを示す図。
【図４】宛先処理を示すフロー図。
【図５】宛先画面を示す図。
【図６】宛先入力処理を示すフロー図。
【図７】初期画面表示処理を示すフロー図。
【図８】「よく使う」宛先画面を示す図。
【図９】タグキー処理を示す図。
【図１０】宛先画面を示す図。
【図１１】前頁用頁キー処理を示すフロー図。
【図１２】（ａ）は中間頁を示す図であり、（ｂ）は（ａ）の前頁を示す図。
【図１３】次頁用頁キー処理を示すフロー図。
【図１４】宛先登録キー処理を示すフロー図。
【図１５】原稿表示処理を示すフロー図。
【図１６】（ａ）は、ポートレート方向の原稿を読み取る場合の表示であり、（ｂ）は、ランドスケープ方向の原稿を読み取る場合の表示を示す図。
【図１７】原稿が無い状態を示す図１６（ａ）に対応する図。
【図１８】（ａ）は１／３程度スキャンされた状態を示し、（ｂ）は２／３程度スキャンされた状態を示し、（ｃ）は全てがスキャンされた状態を示す図。
【符号の説明】
１  複合機
２  中央処理装置
３  原稿読取制御部
４  画像形成部
５  操作パネル
６  タッチパネル
１１  モードキー
１２  タグ
１３  宛先指定キー
１４  情報表示エリア
２１  前頁用頁めくりキー
２２  次頁用頁めくりキー
【図１】
0003955773.tif 000002
【図２】
0003955773.tif 000003
【図３】
0003955773.tif 000004
【図４】
0003955773.tif 000005
【図５】
0003955773.tif 000006
【図６】
0003955773.tif 000007
【図７】
0003955773.tif 000008
【図８】
0003955773.tif 000009
【図９】
0003955773.tif 000010
【図１０】
0003955773.tif 000011
【図１１】
0003955773.tif 000012
【図１２】
0003955773.tif 000013
【図１３】
0003955773.tif 000014
【図１４】
0003955773.tif 000015
【図１５】
0003955773.tif 000016
【図１６】
0003955773.tif 000017
【図１７】
0003955773.tif 000018
【図１８】
0003955773.tif 000019